(57)【要約】【課題】  複数の記録層を有する情報記録媒体を利用して、単純でありながら信頼性を高めた記録を行う。【解決手段】  情報の記録が可能な記録層を複数有する情報記録媒体に対する情報の記録が可能な情報記録装置において、Ｌｅａｄ Ｉｎ２０，Ｌｅａｄ Ｏｕｔ２１，アンカーポイント２２，ファイルシステム（ボリューム情報）２３，データ本体２４を含む情報Ｄの少なくとも一部を複数の記録層（Ｌａｙｅｒ ０およびＬａｙｅｒ １）に重複して記録することで、ユーザの格別な操作を伴うことなく、複数の記録層（Ｌａｙｅｒ ０およびＬａｙｅｒ １）に少なくとも一部の記録情報が重複して記録されるようにした。【選択図】    図４
2005071468.tif 000002
【特許請求の範囲】
【請求項１】
情報の記録が可能な記録層を複数有する情報記録媒体に対する情報の記録が可能な情報記録装置において、
記録する情報の少なくとも一部を複数の記録層に重複して記録する重複記録手段を具備することを特徴とする情報記録装置。
【請求項２】
前記記録する情報はデータ本体を含み、
前記重複記録手段は、複数の記録層にデータ本体の少なくとも一部を重複して記録することを特徴とする請求項１記載の情報記録装置。
【請求項３】
前記重複記録手段は、データ本体を記録層毎に異なる位置に記録することを特徴とする請求項２記載の情報記録装置。
【請求項４】
前記記録する情報はデータ本体を含み、
前記重複記録手段は、複数の記録層にデータ本体の管理情報もしくは管理プログラムを重複して記録することを特徴とする請求項１記載の情報記録装置。
【請求項５】
前記重複記録手段は、データ本体の管理情報もしくは管理プログラムを記録層毎に異なる位置に記録することを特徴とする請求項４記載の情報記録装置。
【請求項６】
請求項１ないし５のいずれか一に記載の情報記録装置を用いて記録された情報を再生する再生手段と、
一の前記記録層に記録された前記情報の再生における障害発生の有無を検出するエラー検出手段と、
一の前記記録層に記録された前記情報の再生において障害が発生した場合に、この記録層とは異なる前記記録層に重複して記録された情報を再生するエラー復帰手段と、
を具備する情報再生装置。
【請求項７】
情報の記録が可能な記録層を複数有する情報記録媒体に対する情報の記録が可能な情報記録装置を用いた情報の記録に際して、記録する情報の少なくとも一部を複数の記録層に重複して記録する重複記録ステップを実行する情報記録方法。
【請求項８】
前記記録する情報はデータ本体を含み、前記重複記録ステップでは、複数の記録層にデータ本体の少なくとも一部を重複して記録する請求項７記載の情報記録方法。
【請求項９】
前記重複記録ステップでは、データ本体を記録層毎に異なる位置に記録する請求項８記載の情報記録方法。
【請求項１０】
前記記録する情報はデータ本体を含み、前記重複記録ステップでは、複数の記録層にデータ本体の管理情報もしくは管理プログラムを重複して記録する請求項７記載の情報記録方法。
【請求項１１】
前記重複記録ステップでは、データ本体の管理情報もしくは管理プログラムを記録層毎に異なる位置に記録する請求項１０記載の情報記録方法。
【請求項１２】
複数の記録層を有する情報記録媒体に記録された情報を再生する記録再生装置を用いた前記情報の再生に際して、
一の前記記録層に記録された前記情報の再生における障害発生の有無を検出するエラー検出ステップと、
一の前記記録層に記録された前記情報の再生において障害が発生した場合に、この記録層とは異なる前記記録層に重複して記録された情報を再生するエラー復帰ステップと、
を実行する情報再生方法。
【発明の詳細な説明】
【技術分野】
【０００１】
本発明は、情報記録装置、情報再生装置、情報記録方法および情報再生方法に関する。
【背景技術】
【０００２】
記録媒体に対する情報の記録に際しては、通常、エラー訂正情報などの情報も含んだ上で、情報は一箇所に一度記録される。この情報の記録に際して、信頼性やセキュリティの向上を図ろうとした場合、情報は複数箇所に複数回記録するべきである。
【０００３】
例えば、大規模なデータの保管を専門に行うデータセンター（データ倉庫）などでは、自然災害やテロなどといった予測不能の事態に対応するため、全く同じ情報を全く違う国や地域に保存しているところがある。
【０００４】
また、例えば、単一の情報記録媒体に対する情報の記録において、ある記録個所にデータを記録することができなくなった場合にも、異なった場所に記録することを可能とするようにした技術がある。このような技術は、欠陥管理や交替機能と呼ばれる。
【０００５】
欠陥管理や交替機能としては、例えば、複数の記録層を持つディスク状の記録媒体において欠陥を検知した場合に行われる交替処理として、ある記録層において欠陥が発生すると、この欠陥が発生したエリアを異なる記録層に用意された交替エリアと交替させ、以降、欠陥が発生したエリアに対するアクセスを交替エリアに対するアクセスに自動的に置き換えるようにした技術がある（例えば、特許文献１参照）。
【０００６】
また、例えば、複数の記録層を持つ記録媒体を用いて、データの前半部分を一層目に、後半部分を二層目に振り分けることで、各記録層に対して記録を行うようにした技術がある（例えば、特許文献２参照）。
【０００７】
しかしながら、特許文献２に記載された技術では、データの前半部分を一層目に、後半部分を二層目に振り分けているだけで特に信頼性の向上を目的としてはいない。
【０００８】
【特許文献１】特開２０００−２８５６０７公報
【０００９】
【特許文献２】特開２００１−１２６２５５公報
【発明の開示】
【発明が解決しようとする課題】
【００１０】
これまで、大量消費かつ取り扱いの容易性を目的とした交換可能な情報記録媒体に対する高度な信頼性は、高速演算が可能な汎用コンピュータの普及や、エラー訂正技術の進歩もあって、あまり要求されていない。
【００１１】
そして、情報記録媒体に対しては、高度な信頼性よりも、寧ろ、安価であることや高速性が主眼に置かれてきた。
【００１２】
ところが、近年では通信手段としてインターネットが十分に普及し、生活に欠かせない主役になりつつある。また、法的な裏付けもある電子政府が推進されるというようなデジタル情報化社会が本格的に到来しつつある。
【００１３】
このような背景から、近年では、個人レベルで扱う情報データに対しても高度な信頼性が必要とされてきている。
【００１４】
銀塩写真や本が例えば百年間の情報の保持を実現してきたように、個人レベルで扱う情報データを保持する情報記録媒体に対しても、銀塩写真や本が実現してきた以上に高い信頼性が期待されている。
【００１５】
本発明の目的は、複数の記録層を有する情報記録媒体を利用して、単純でありながら信頼性を高めた記録を行うことを目的とする。
【課題を解決するための手段】
【００１６】
請求項１記載の発明の情報記録装置は、情報の記録が可能な記録層を複数有する情報記録媒体に対する情報の記録が可能な情報記録装置において、記録する情報の少なくとも一部を複数の記録層に重複して記録する重複記録手段を具備する。
【００１７】
したがって、ユーザの格別な操作を伴うことなく、記録する情報の少なくとも一部が複数の記録層に重複して記録される。
【００１８】
請求項２記載の発明は、請求項１記載の情報記録装置において、前記記録する情報はデータ本体を含み、前記重複記録手段は、複数の記録層にデータ本体の少なくとも一部を重複して記録する。
【００１９】
したがって、ユーザが直接必要とするデータ本体が複数の記録層に重複して記録される。
【００２０】
請求項３記載の発明は、請求項２記載の情報記録装置において、前記重複記録手段は、データ本体を記録層毎に異なる位置に記録する。
【００２１】
したがって、情報記録媒体が物理的に破損した場合にも、この破損位置に記録されていたデータ本体を再生することができる。
【００２２】
請求項４記載の発明は、請求項１記載の情報記録装置において、前記記録する情報はデータ本体を含み、前記重複記録手段は、複数の記録層にデータ本体の管理情報もしくは管理プログラムを重複して記録する。
【００２３】
したがって、データ本体の管理情報もしくは管理プログラムが複数の記録層に重複して記録される。
【００２４】
請求項５記載の発明は、請求項４記載の情報記録装置において、前記重複記録手段は、データ本体の管理情報もしくは管理プログラムを記録層毎に異なる位置に記録する。
【００２５】
したがって、情報記録媒体が物理的に破損した場合にも、この破損位置に記録されていたデータ本体の管理情報もしくは管理プログラムを再生することができる。
【００２６】
請求項６記載の発明の情報再生装置は、請求項１ないし５のいずれか一に記載の情報記録装置を用いて記録された情報を再生する再生手段と、一の前記記録層に記録された前記情報の再生における障害発生の有無を検出するエラー検出手段と、一の前記記録層に記録された前記情報の再生において障害が発生した場合に、この記録層とは異なる前記記録層に重複して記録された情報を再生するエラー復帰手段と、を具備する。
【００２７】
したがって、情報の一部が損傷している場合にも、ユーザによる格別な操作を必要とすることなく、この情報を再生することができる。
【００２８】
請求項７記載の発明の情報記録方法は、情報の記録が可能な記録層を複数有する情報記録媒体に対する情報の記録が可能な情報記録装置を用いた情報の記録に際して、記録する情報の少なくとも一部を複数の記録層に重複して記録する重複記録ステップを実行する。
【００２９】
したがって、ユーザの格別な操作を伴うことなく、記録する情報の少なくとも一部が複数の記録層に重複して記録される。
【００３０】
請求項８記載の発明は、請求項７記載の情報記録方法において、前記記録する情報はデータ本体を含み、前記重複記録ステップでは、複数の記録層にデータ本体の少なくとも一部を重複して記録する。
【００３１】
したがって、ユーザが直接必要とするデータ本体が複数の記録層に重複して記録される。
【００３２】
請求項９記載の発明は、請求項８記載の情報記録方法において、前記重複記録ステップでは、データ本体を記録層毎に異なる位置に記録する。
【００３３】
したがって、情報記録媒体が物理的に破損した場合にも、この破損位置に記録されていたデータ本体を再生することができる。
【００３４】
請求項１０記載の発明は、請求項７記載の情報記録方法において、前記記録する情報はデータ本体を含み、前記重複記録ステップでは、複数の記録層にデータ本体の管理情報もしくは管理プログラムを重複して記録する。
【００３５】
したがって、データ本体の管理情報もしくは管理プログラムが複数の記録層に重複して記録される。
【００３６】
請求項１１記載の発明は、請求項１０記載の情報記録方法において、前記重複記録ステップでは、データ本体の管理情報もしくは管理プログラムを記録層毎に異なる位置に記録する。
【００３７】
したがって、情報記録媒体が物理的に破損した場合にも、この破損位置に記録されていたデータ本体の管理情報もしくは管理プログラムを再生することができる。
【００３８】
請求項１２記載の発明の情報再生方法は、複数の記録層を有する情報記録媒体に記録された情報を再生する記録再生装置を用いた前記情報の再生に際して、一の前記記録層に記録された前記情報の再生における障害発生の有無を検出するエラー検出ステップと、一の前記記録層に記録された前記情報の再生において障害が発生した場合に、この記録層とは異なる前記記録層に重複して記録された情報を再生するエラー復帰ステップと、を実行する。
【００３９】
したがって、記録された情報の一部が損傷している場合にも、ユーザによる格別な操作を必要とすることなく、この情報を再生することができる。
【発明の効果】
【００４０】
請求項１記載の発明の情報記録装置によれば、ユーザの格別な操作を伴うことなく、記録する情報の少なくとも一部が複数の記録層に重複して記録されるので、ユーザに格別意識させることなく高い信頼性を有する情報の記録を行なうことができ、単純でありながら信頼性を高めた記録を行うことができる。
【００４１】
請求項２記載の発明によれば、請求項１記載の情報記録装置において、ユーザが直接必要とするデータ本体が複数の記録層に重複して記録されるので、保存状態等情報記録媒体の環境が劣悪であっても、データ本体を損なうことなく、情報を長期に亘って保持することができる。
【００４２】
請求項３記載の発明によれば、請求項１記載の情報記録装置において、情報記録媒体が物理的に破損した場合にも、この破損位置に記録されていたデータ本体を再生することができるので、データ本体の一部が消失することを防止することができる。
【００４３】
請求項４記載の発明によれば、請求項１記載の情報記録装置において、データ本体の管理情報もしくは管理プログラムが複数の記録層に重複して記録されるので、保存状態等情報記録媒体の環境が劣悪であっても、目的とするデータ本体の位置を長期に亘って確実に特定することができる。
【００４４】
請求項５記載の発明によれば、請求項１記載の情報記録装置において、情報記録媒体が物理的に破損した場合にも、この破損位置に記録されていたデータ本体の管理情報もしくは管理プログラムを再生することができるので、ファイルシステムが消失することを防止することができる。
【００４５】
請求項６記載の発明の情報再生装置によれば、請求項１ないし５のいずれか一に記載の情報記録装置を用いて記録された情報を再生する際に、例えば、この記録媒体の一部が損傷しているために情報の一部が損傷している場合にも、ユーザによる格別な操作を必要とすることなく、この情報を再生することができる
請求項７記載の発明の情報記録方法によれば、ユーザの格別な操作を伴うことなく、記録する情報の少なくとも一部が複数の記録層に重複して記録されるので、ユーザに格別意識させることなく高い信頼性を有する情報記録を行なうことができる。
【００４６】
請求項８記載の発明によれば、請求項７記載の情報記録方法において、ユーザが直接必要とするデータ本体が複数の記録層に重複して記録されるので、保存状態等情報記録媒体の環境が劣悪であっても、データ本体を損なうことなく、情報を長期に亘って保持することができる。
【００４７】
請求項９記載の発明によれば、請求項７記載の情報記録方法において、情報記録媒体が物理的に破損した場合にも、この破損位置に記録されていたデータ本体を再生することができるので、データ本体の一部が消失することを防止することができる。
【００４８】
請求項１０記載の発明によれば、請求項７記載の情報記録方法において、データ本体の管理情報もしくは管理プログラムが複数の記録層に重複して記録されるので、保存状態等情報記録媒体の環境が劣悪であっても、目的とするデータ本体の位置を長期に亘って確実に特定することができる。
【００４９】
請求項１１記載の発明によれば、請求項７記載の情報記録方法において、情報記録媒体が物理的に破損した場合にも、この破損位置に記録されていたデータ本体の管理情報もしくは管理プログラムを再生することができる。
【００５０】
請求項１２記載の発明の情報再生方法によれば、記録された情報の一部が損傷している場合にも、ユーザによる格別な操作を必要とすることなく、この情報を再生することができる。
【発明を実施するための最良の形態】
【００５１】
本発明を実施するための最良の一実施の形態について図１ないし図９を参照して説明する。本実施の形態は、情報記録装置および情報再生装置としての情報記録再生装置への適用例を示す。
【００５２】
図１は、本発明を実施するための最良の一実施の形態の情報記録再生装置を示す概略図である。図１に示すように、情報記録再生装置１は、情報記録媒体としての光ディスク２を回転させるスピンドルモータ３、この光ディスク２に対して照射するレーザ光を発光する光ピックアップ４、光ピックアップ４を光ディスクの半径方向に移動させる粗動モータ５を備えている。公知の技術であるため説明を省略するが、光ピックアップ４は、光ディスク２へのレーザ光の照射に際して微小動作を行うことができる。スピンドルモータ３は回転制御系６によって駆動制御され、光ピックアップ４はピックアップ駆動系７によって駆動制御され、粗動モータ５は粗動モータ制御系８によって駆動制御される。なお、光ピックアップ４は、ピックアップ駆動系７に加えて、信号処理系１１によっても駆動制御される。
【００５３】
ここで、図２は、本実施の形態の情報記録再生装置１が記録再生の対象とする光ディスク２を例示する説明図である。光ディスク２は、ディスク状の円盤であり、複数の記録層２Ａを有している。記録層２Ａは、基板に対して同一側となる面（表側・裏側の少なくともどちらか）において、二層またはそれ以上設けられている。光ディスク２は、カバー層２Ｂに対して積層状態で設けられた複数の記録層を有している。各記録層２Ａの間には、各記録層をサンドイッチするようにして、それぞれ保護層２Ｃが設けられている。
【００５４】
なお、本実施の形態の光ディスク２における記録層２Ａは、追記型（ライトワンス：一度だけ記録できる）でも書き換え型（リライタブル：複数回記録できる）でも構わない。
【００５５】
また、本実施の形態の光ディスク２における記録層２Ａは、記録機能を担う為に、物理的特性の異なるさらに複数の細かい層に分かれていてもよい。
【００５６】
情報記録再生装置１は、情報記録再生装置１全体を駆動制御するコントローラとＣＰＵとを備えている。なお、図１中では、ＣＰＵ／コントローラとして示されており、以降、ＣＰＵ／コントローラとして符号９を付して説明する。特に図示しないが、ＣＰＵ／コントローラ９は、レジスタなど、少量だが高速のメモリを含み、定型デジタル処理であるバッファメモリ操作やデジタル信号処理を高速に行うことが可能である。
【００５７】
ＣＰＵ／コントローラ９には、電源が切られても各種の設定を保持する不揮発メモリ１２が接続されている。本実施の形態の不揮発メモリ１２には、制御プログラム自身や各種媒体に対する制御パラメータなど、長期記憶しなければならないデータが配置される。後述する情報の再生処理も、この不揮発メモリ１２に格納される制御プログラムとして実装される。
【００５８】
また、ＣＰＵ／コントローラ９には、バッファメモリ１３が接続されている。バッファメモリ１３には、ホストコンピュータＨから転送されたデータが格納される
情報記録再生装置１は、ホストコンピュータＨ等の外部装置との間で通信を行なう外部インタフェース１０を備えている。一般的に、パーソナルコンピュータ向けには、ＡＴＡ／ＡＴＡＰＩインタフェースになることが多いが、ＳＣＳＩ，ＵＳＢ，ＩＥＥＥ１３９４，ＩＥＥＥ８０２，Ｓｅｒｉａｌ ＡＴＡなどを用いることも可能である。
【００５９】
外部インタフェース１０を用いた通信は、ホストから命令データ列（コマンド）を発行し、発行されたコマンドに対して情報記録再生装置１におけるＣＰＵ／コントローラ９が応答することで行う。公知の技術であるため説明を省略するが、ＣＰＵ／コントローラ９は、発行されたコマンドに基づき、記録動作を行なったり再生モードを変更したり、実際に再生や記録を行う記録層の指定や該記録層における場所やサイズなどの特定を行ったりすることができる。
【００６０】
このような光ディスク２において、異なる記録層２Ａに対して操作をする際には、光ピックアップ４でのフォーカス動作が必要となる。このため、図２（ｃ）に示すように、リニアなアドレス指示であっても層の切り替えタイミングは明確である。
【００６１】
光ディスク２に対する情報の記録に際しては、ホストコンピュータＨから転送されたデータを、外部インタフェース１０を介して一旦バッファメモリ１３に蓄える。ＣＰＵ／コントローラ９は、バッファメモリ１３に蓄えられたデータに基づく信号処理を施し、ピックアップ制御系７、信号処理系を介して光ピックアップ４からレーザ光を光ディスク２に照射し、情報を記録する。
【００６２】
光ディスク２に記録されたデータの読み取りに際し、光ディスク２から読み出したデータは、バッファメモリ１３に蓄えられる。バッファメモリ１３に蓄えられたデータは、ＣＰＵ／コントローラ９、外部インタフェース１０を介して、ホストコンピュータＨに転送される。
【００６３】
ところで、このような光ディスク２において、光ピックアップ４から遠い位置に位置する（基板に近い）記録層２Ａに対してレーザ光を当てるためには、光ピックアップ４から近い所の記録層２Ａを通過することになる。なお、レーザ光が通過する記録層２Ａは、未記録であるか記録済みであるかなどが一定して保証されている訳ではない。
【００６４】
このため、従来では記録または再生どちらの場合でも信号品質が一定せず、ばらつき易い。また、このように複数の記録層２Ａを有する光ディスク２は、層毎に記録特性・再生特性が異なることが多い。
【００６５】
ここで、図３は、標準的に記録された単層の情報記録媒体における情報の構成を示す説明図である。互換性を考慮して記録された情報記録媒体２’には、基本的に、Ｌｅａｄ Ｉｎ２０，Ｌｅａｄ Ｏｕｔ２１，記録再生起点指示情報としてのアンカーポイント２２，ファイルシステム（ボリューム情報）２３，データ本体２４のように、大きく分けて５つ含む情報Ｄを記録する情報領域が設けられている。
【００６６】
Ｌｅａｄ Ｉｎ２０は、記録領域の開始を示す情報が書き込まれている領域である。Ｌｅａｄ Ｉｎ２０は、光ディスク２の種類やフォーマット等のコントロールデータといった光ディスク２の互換性やドライブの制御に必要なデータ等が記録されている場合もある。Ｌｅａｄ Ｉｎ２０には、物理的な情報が記録されることもある。
【００６７】
Ｌｅａｄ Ｏｕｔ２１は、記録領域の終了を示す情報が書き込まれている領域である。
【００６８】
アンカーポイント２２は、光ディスク２に対する情報Ｄの記録、あるいは、光ディスク２に記録されている情報Ｄの再生に際して、記録や再生を開始する際に必ず起点となる位置またはその位置を特定する情報である。アンカーポイント２２には、ファイルシステム２３の位置が記録されている。
【００６９】
なお、アンカーポイント２２は光ディスク２に記録されている情報Ｄの再生に際しての起点となるため、このアンカーポイント２２を任意な場所に記録する訳にはいかないが、信頼性を保つため、複数箇所に記録されることもある。
【００７０】
ファイルシステム２３は、光ディスク２に対する記録に際して用いられて、データ本体２４以外であってそれに関係する情報である。なお、データ本体２４以外であってそれに関係する情報とは、該情報それ自体である場合と、この情報を直接利用するプログラムに関する情報を含む場合もある。ファイルシステム２３は、例えば、データ本体２４の記録位置、サイズ、名称、属性、タイムスタンプ等の情報を含む。ファイルシステム２３は、これらの情報によってファイルやディレクトリを記述する。これによって、パーソナルコンピュータなどで閲覧できるような情報が提供される。なお、ファイルシステム２３における情報は、メタデータあるいはＦＡＴ等と呼ばれることもある。
【００７１】
データ本体２４は、まさしく記録しようとするデータそのものである。ここでは、データ本体２４が連続した領域に記録されているが、データ本体２４を複数の領域に分散して記録することも可能である。
【００７２】
本実施の形態の情報記録再生装置１は、上述した単層の情報記録媒体２’における記録情報の構成を、ＣＰＵ／コントローラ９の制御によって以下に示すように配列を制御して光ディスク２に対して記録を行う。ここに、重複記録手段および重複記録ステップが実現される。
【００７３】
図４は、本実施の形態の情報記録再生装置１を用いて情報Ｄが記録された光ディスク２である。この例では、一層目の記録層（Ｌａｙｅｒ ０）と二層目の記録層（Ｌａｙｅｒ １）とで全く同じように情報が記録されている。記録方法は単層の時と同じように、一層目の記録層（Ｌａｙｅｒ ０）に対する記録を行った後、フォーカス制御によって二層目の記録層（Ｌａｙｅｒ １）に焦点を合わせてこの二層目の記録層（Ｌａｙｅｒ １）に対する記録を行うだけでもよいし、一層目の記録層（Ｌａｙｅｒ ０）に対する記録を途中まで行った後、二層目の記録層（Ｌａｙｅｒ １）に対して一層目の記録層（Ｌａｙｅｒ ０）に対する記録と同じところまで記録することを繰り返しても良い。
【００７４】
図５は、図４に示す記録方法に対して、情報を記録する位置を、一層目の記録層（Ｌａｙｅｒ ０）と二層目の記録層（Ｌａｙｅｒ １）とで異なるように配置して記録したものである。上述したように、情報の再生に際して起点となるアンカーポイント２３は動かせないが、それ以外の情報（ファイルシステム２３，データ本体２４Ａ，２４Ｂ，２４Ｃ）は、記録再生に際してのレーサ光に対して重なるようには配置しない。
【００７５】
例えば、データ本体２４を記録する領域全体を使用するような巨大サイズを持った単一ファイルしかない場合は、図５に示すような記録方法は余り有効ではないが、多くの場合は全容量に対して十分小さいファイルで構成されるため、一層目の記録層（Ｌａｙｅｒ ０）に記録するデータ本体２４の位置と二層目の記録層（Ｌａｙｅｒ １）に記録するデータ本体２４の位置とを異なる配置にすることは有効である。
【００７６】
例えば、ＤＶＤ−Ｖｉｄｅｏでは、最大ファイルサイズが１ＧＢとされ、ＤＶＤ単層の記録容量に対して十分小さい。
【００７７】
本実施の形態の記録方法は、例えば、ハードディスクのように、固定的に設けられた複数の情報記録媒体を内部に有する情報記録再生装置においても有効である。
【００７８】
ここで、図６は、ハードディスクのように、固定的に設けられた複数の情報記録媒体を内部に有する情報記録再生装置において、従来の記録方法によって情報Ｄが記録された複数の情報記録媒体を内部に有する情報記録再生装置の一部を示す説明図である。公知の技術であるため、ハードディスクに対して磁気的に情報を記録し、再生する構造および方法については説明を省略するが、図６に示すように、情報記録再生装置内には、複数の情報記録媒体３０（３０Ａ，３０Ｂ，３０Ｃ）が固定的に設けられている。各情報記録媒体３０Ａ，３０Ｂ，３０Ｃは、それぞれの中心に設けられたシャフト３１を中心にして回転可能とされている。
【００７９】
各情報記録媒体３０Ａ，３０Ｂ，３０Ｃには、それぞれ同心円状にトラックが設けられており、各情報記録媒体３０Ａ，３０Ｂ，３０Ｃの記録面毎に図示しない記録再生ヘッドが設けられている。各情報記録媒体３０Ａ，３０Ｂ，３０Ｃに対する記録情報の記録や再生に際しては、対応する記録再生ヘッドが用いられる。
【００８０】
従来の記録方法では、図６に示すように、各情報記録媒体３０Ａ，３０Ｂ，３０Ｃの外周側のトラックにはそれぞれ異なるデータＡ１，Ａ２，Ａ３が記録されており、中程に位置するトラックにはそれぞれ異なるデータＢ１，Ｂ２，Ｂ３が記録されており、内周側のトラックにはそれぞれ異なるデータＣ１，Ｃ２，Ｃ３が記録されている。
【００８１】
これに対し、本実施の形態の情報記録再生装置は、図７、図８に示すような方法によって情報記録媒体３０Ａ，３０Ｂ，３０Ｃに対する記録情報の記録を行う。図７、図８は、本実施の形態の情報記録再生装置における情報記録媒体３０Ａ，３０Ｂ，３０Ｃに対する記録情報の記録方法を示す説明図である。図７に示すように、本実施の形態の情報記録再生装置では、データＡ１は多重化され、全ての記録層に記録されている。同様に、データＢ１、データＣ１も全ての記録層に記録されている。
【００８２】
このように記録することにより、どこか一部の情報記録媒体３０Ａまたは３０Ｂまたは３０Ｃでデータが再生できなくなった場合にも、他の情報記録媒体３０Ａまたは３０Ｂまたは３０Ｃから再生することが可能になる。
【００８３】
図８では、記録する位置をそれぞれ異なる場所にしている。これにより、破損などによって情報記録媒体３０Ａまたは３０Ｂまたは３０Ｃの一部に記録された記録情報が再生できなくなった場合にも、他の情報記録媒体３０Ａまたは３０Ｂまたは３０Ｃにデータが記録されているため、他の情報記録媒体３０Ａまたは３０Ｂまたは３０Ｃに記録されたデータを再生させることが可能である。
【００８４】
図７、図８に示すような記録を行なう場合、記録できる総容量は図６に示すような記録を行なう場合と比較して減少するが、信頼性を向上させることができる。
【００８５】
近年では、固定ディスクの容量あたりの単価も下がっているので、本実施の形態のような情報記録を行なうことも有効な方法になっている。
【００８６】
次に、光ディスク２あるいは情報記録媒体３０に記録された記録情報の再生について説明する。本実施の形態では、ここに、再生手段としての機能が実現される。図９は、光ディスク２あるいは情報記録媒体３０に記録された記録情報の再生について概略的に示すフローチャートである。ここでは、既に光ディスク２（あるいは情報記録媒体３０）がセットされ、媒体の種類も認識されていて、アンカーポイント２３も発見されているとする。そして発見されているアンカーポイント２３に対する再生命令が来たときをスタートとしている。なお、以降、光ディスク２について説明するが、情報記録媒体３０に記録された記録情報の再生についても同様である。
【００８７】
図９に示すように、アンカーポイント２３に対する再生命令が来ると、再生しようとする記録層２Ａ，２Ｂまたは２Ｃを選択する（ステップＳ１）。なお、ここで選択される記録層２Ａ，２Ｂまたは２Ｃは、デフォルトで決めておいても良いし、優先順位をつけておいても良い。
【００８８】
次に、ファイルシステム２３を参照して目的とする再生（開始）アドレスとサイズを得る（ステップＳ２）。
【００８９】
再生アドレス前に光ピックアップ４の焦点位置を移動させ（ステップＳ３）、再生アドレスから信号の読み取りを開始する（ステップＳ４）。
【００９０】
ステップＳ４において規定サイズ分再生した再生信号からデータ本体２４とエラー訂正データとを取り出す（ステップＳ５）。
【００９１】
そして、取り出したデータ本体２４とエラー訂正データとに基づいてエラー発見と訂正処理とを行い、このときの訂正処理でも訂正できないエラーの有無を判断する（ステップＳ６）。ここに、エラー検出手段およびエラー検出ステップが実現される。
【００９２】
訂正処理でも訂正できないエラーがある場合（ステップ６のＹ）、他の記録層２Ａ，２Ｂまたは２Ｃに記録された情報Ｄの再生を行なうか否かを判断する（ステップＳ７）。ステップＳ９の判断は、読取データの信頼性の精度に応じて適宜設定するようにしてもよい。
【００９３】
他の記録層２Ａ，２Ｂまたは２Ｃに記録された記録情報の再生を行なうと判断した場合には（ステップＳ９のＹ）、ステップＳ１に進む。ここに、ステップＳ７において、他の記録層２Ａ，２Ｂまたは２Ｃに記録された情報Ｄの再生を行なうと判断した以降の処理によって、エラー復帰手段およびエラー復帰ステップが実現される。
【００９４】
他の記録層２Ａ，２Ｂまたは２Ｃに記録された記録情報の再生を行なわないと判断した場合には（ステップＳ７のＮ）、所定のエラー処理を行なう（ステップＳ８）。なお、ステップＳ８で行なうエラー処理については公知の技術であるため説明を省略する。
【００９５】
一方、ステップＳ６で、訂正処理でも訂正できないエラーはない、すなわち、エラー訂正によりエラーが訂正された場合（ステップ６のＮ）、再生したデータ本体２４をホストコンピュータＨに転送する処理を行い処理を終了する。
【００９６】
なお、図示を省略するが、上述と同様に、この他に、再生アドレスすら読み取れなかったり、光ピックアップ４が移動できなかったり、再生信号が得られなかったりした場合にも、他の記録層２Ａ，２Ｂまたは２Ｃに移動して同様な処理を行うことが可能である。
【００９７】
このように本実施の形態の情報記録再生装置１によれば、ユーザの格別な操作を伴うことなく、複数の記録層２Ａ，２Ｂまたは２Ｃに少なくとも一部の記録情報が重複して記録されるので、ユーザに格別意識させることなく高い信頼性を有する情報記録を行なうことができる。
【００９８】
また、本実施の形態の情報記録再生装置１によれば、ユーザが直接必要とするデータ本体２４が複数の記録層に重複して記録されるので、保存状態等情報記録媒体の環境が劣悪であっても、データ本体２４を損なうことなく、記録情報を長期に亘って保持することができる。
【００９９】
さらに、本実施の形態の情報記録再生装置１によれば、光ディスク２（または、情報記録媒体３０）が物理的に破損した場合にも、この破損位置に記録されていたデータ本体２４を再生することができるので、データ本体２４の一部が消失することを防止することができる。
【０１００】
加えて、本実施の形態の情報記録再生装置１によれば、メタ情報を記憶するファイルシステム２３を複数の記録層２Ａ，２Ｂ，２Ｃに重複して記録することで、保存状態等光ディスク２（または情報記録媒体３０）の環境が劣悪であっても、目的とするデータ本体２４の位置を長期に亘って確実に特定することができる。
【０１０１】
また、本実施の形態の情報記録再生装置１によれば、光ディスク２（または情報記録媒体３０）が物理的に破損した場合にも、この破損位置に記録されていたファイルシステムを再生することができるので、ファイルシステム２３が消失してしまうことを防止することができる。
【０１０２】
そして、本実施の形態の情報記録再生装置１によれば、上述したように、複数の記録層２Ａ，２Ｂ，２Ｃに情報Ｄを記録することで、この光ディスク２の一部が損傷している場合にも、ユーザによる格別な操作を必要とすることなく、この光ディスク２に記録された情報Ｄを再生することができる。
【０１０３】
このように、本実施の形態の情報記録再生装置１によれば、ユーザによる格別な操作を伴うことなく、記録した情報の信頼性を向上させ、記録した情報Ｄを長期に亘って確実に保持することができるとともに、万一、光ディスクが一部破損した場合にも、この光ディスク２（または情報記録媒体３０）に記録されている情報Ｄの消失を防止することができる。
【図面の簡単な説明】
【０１０４】
【図１】本発明を実施するための最良の一実施の形態の情報記録再生装置を示す概略図である。
【図２】本実施の形態の情報記録再生装置が記録再生の対象とする光ディスクを例示する説明図である。
【図３】標準的に記録された単層の情報記録媒体における記録情報の構成を示す説明図である。
【図４】本実施の形態の情報記録再生装置を用いて情報が記録された光ディスク２である。
【図５】図４に示す記録方法に対して、情報を記録する位置を、一層目の記録層と二層目の記録層とで異なるように配置して記録した状態を示す説明図である。
【図６】従来の記録方法によって記録情報が記録された複数の情報記録媒体を内部に有する情報記録再生装置の一部を示す説明図である。
【図７】本実施の形態の情報記録再生装置における情報記録媒体に対する記録情報の記録方法を示す説明図である。
【図８】本実施の形態の情報記録再生装置における情報記録媒体に対する記録情報の別の記録方法を示す説明図である。
【図９】光ディスクあるいは情報記録媒体に記録された情報の再生について概略的に示すフローチャートである。
【符号の説明】
【０１０５】
１      情報記録装置、情報再生装置
２      情報記録媒体
２０      Ｌｅａｄ Ｉｎ
２１      Ｌｅａｄ Ｏｕｔ
２２      記録再生起点指示情報
２３      ファイルシステム
２４      データ本体
３０      情報記録媒体
Ｄ      記録情報
【図１】
2005071468.tif 000003
【図２】
2005071468.tif 000004
【図３】
2005071468.tif 000005
【図４】
2005071468.tif 000006
【図５】
2005071468.tif 000007
【図６】
2005071468.tif 000008
【図７】
2005071468.tif 000009
【図８】
2005071468.tif 000010
【図９】
2005071468.tif 000011
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
情報の記録が可能な記録層を積層状態で複数有する情報記録媒体に対する情報の記録が可能な情報記録装置において、
記録する情報をファイル単位として複数の記録層の積層方向に重ならない異なる位置に重複して記録する重複記録手段を具備することを特徴とする情報記録装置。
【請求項２】
前記記録する情報はデータ本体を含み、
前記重複記録手段は、複数の記録層にデータ本体をファイル単位で記録することを特徴とする請求項１記載の情報記録装置。
【請求項３】
前記記録する情報はデータ本体を含み、
前記重複記録手段は、複数の記録層にデータ本体の管理情報もしくは管理プログラムをファイル単位で記録することを特徴とする請求項１記載の情報記録装置。
【請求項４】
情報の記録が可能な記録層を積層状態で複数有する情報記録媒体に対する情報の記録が可能な情報記録装置を用いた情報の記録に際して、記録する情報をファイル単位として複数の記録層の積層方向に重ならない異なる位置に重複して記録する重複記録ステップを実行する情報記録方法。
【請求項５】
前記記録する情報はデータ本体を含み、前記重複記録ステップでは、複数の記録層にデータ本体をファイル単位で記録する請求項４記載の情報記録方法。
【請求項６】
前記記録する情報はデータ本体を含み、前記重複記録ステップでは、複数の記録層にデータ本体の管理情報もしくは管理プログラムをファイル単位で記録する請求項４記載の情報記録方法。
【手続補正２】
【補正対象書類名】明細書
【補正対象項目名】００１６
【補正方法】変更
【補正の内容】
【００１６】
請求項１記載の発明の情報記録装置は、情報の記録が可能な記録層を積層状態で複数有する情報記録媒体に対する情報の記録が可能な情報記録装置において、記録する情報をファイル単位として複数の記録層の積層方向に重ならない異なる位置に重複して記録する重複記録手段を具備する。
【手続補正３】
【補正対象書類名】明細書
【補正対象項目名】００１７
【補正方法】変更
【補正の内容】
【００１７】
したがって、ユーザの格別な操作を伴うことなく、記録する情報がファイル単位で複数の記録層に重複して記録される。また、情報記録媒体が物理的に破損した場合にも、この破損位置に記録されていた情報を再生することができる。
【手続補正４】
【補正対象書類名】明細書
【補正対象項目名】００１８
【補正方法】変更
【補正の内容】
【００１８】
請求項２記載の発明は、請求項１記載の情報記録装置において、前記記録する情報はデータ本体を含み、前記重複記録手段は、複数の記録層にデータ本体をファイル単位で記録する。
【手続補正５】
【補正対象書類名】明細書
【補正対象項目名】００１９
【補正方法】変更
【補正の内容】
【００１９】
したがって、ユーザが直接必要とするデータ本体が複数の記録層に重複して記録される。また、情報記録媒体が物理的に破損した場合にも、この破損位置に記録されていたデータ本体を再生することができる。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
請求項３記載の発明は、請求項１記載の情報記録装置において、前記記録する情報はデータ本体を含み、前記重複記録手段は、複数の記録層にデータ本体の管理情報もしくは管理プログラムをファイル単位で記録する。
【手続補正９】
【補正対象書類名】明細書
【補正対象項目名】００２３
【補正方法】変更
【補正の内容】
【００２３】
したがって、データ本体の管理情報もしくは管理プログラムが複数の記録層に重複して記録される。また、情報記録媒体が物理的に破損した場合にも、この破損位置に記録されていたデータ本体の管理情報もしくは管理プログラムを再生することができる。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２８
【補正方法】変更
【補正の内容】
【００２８】
請求項４記載の発明の情報記録方法は、情報の記録が可能な記録層を積層状態で複数有する情報記録媒体に対する情報の記録が可能な情報記録装置を用いた情報の記録に際して、記録する情報をファイル単位として複数の記録層の積層方向に重ならない異なる位置に重複して記録する重複記録ステップを実行する。
【手続補正１４】
【補正対象書類名】明細書
【補正対象項目名】００２９
【補正方法】変更
【補正の内容】
【００２９】
したがって、ユーザの格別な操作を伴うことなく、記録する情報の少なくとも一部が複数の記録層に重複して記録される。また、情報記録媒体が物理的に破損した場合にも、この破損位置に記録されていた情報を再生することができる。
【手続補正１５】
【補正対象書類名】明細書
【補正対象項目名】００３０
【補正方法】変更
【補正の内容】
【００３０】
請求項５記載の発明は、請求項４記載の情報記録方法において、前記記録する情報はデータ本体を含み、前記重複記録ステップでは、複数の記録層にデータ本体をファイル単位で記録する。
【手続補正１６】
【補正対象書類名】明細書
【補正対象項目名】００３１
【補正方法】変更
【補正の内容】
【００３１】
したがって、ユーザが直接必要とするデータ本体が複数の記録層に重複して記録される。また、情報記録媒体が物理的に破損した場合にも、この破損位置に記録されていたデータ本体を再生することができる。
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】変更
【補正の内容】
【００３４】
請求項６記載の発明は、請求項４記載の情報記録方法において、前記記録する情報はデータ本体を含み、前記重複記録ステップでは、複数の記録層にデータ本体の管理情報もしくは管理プログラムをファイル単位で記録する。
【手続補正２０】
【補正対象書類名】明細書
【補正対象項目名】００３５
【補正方法】変更
【補正の内容】
【００３５】
したがって、データ本体の管理情報もしくは管理プログラムが複数の記録層に重複して記録される。また、情報記録媒体が物理的に破損した場合にも、この破損位置に記録されていたデータ本体の管理情報もしくは管理プログラムを再生することができる。
【手続補正２１】
【補正対象書類名】明細書
【補正対象項目名】００３６
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】変更
【補正の内容】
【００４０】
請求項１記載の発明の情報記録装置によれば、ユーザの格別な操作を伴うことなく、記録する情報をファイル単位で複数の記録層に重複して記録されるので、ユーザに格別意識させることなく高い信頼性を有する情報の記録を行なうことができ、単純でありながら信頼性を高めた記録を行うことができる。また、情報記録媒体が物理的に破損した場合にも、この破損位置に記録されていた情報を再生することができるので、データ本体の一部が消失することを防止することができる。
【手続補正２６】
【補正対象書類名】明細書
【補正対象項目名】００４１
【補正方法】変更
【補正の内容】
【００４１】
請求項２記載の発明によれば、請求項１記載の情報記録装置において、ユーザが直接必要とするデータ本体が複数の記録層に重複して記録されるので、保存状態等情報記録媒体の環境が劣悪であっても、データ本体を損なうことなく、情報を長期に亘って保持することができる。また、情報記録媒体が物理的に破損した場合にも、この破損位置に記録されていたデータ本体を再生することができるので、データ本体の一部が消失することを防止することができる。
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】変更
【補正の内容】
【００４３】
請求項３記載の発明によれば、請求項１記載の情報記録装置において、データ本体の管理情報もしくは管理プログラムが複数の記録層に重複して記録されるので、保存状態等情報記録媒体の環境が劣悪であっても、目的とするデータ本体の位置を長期に亘って確実に特定することができる。また、情報記録媒体が物理的に破損した場合にも、この破損位置に記録されていたデータ本体の管理情報もしくは管理プログラムを再生することができるので、ファイルシステムが消失することを防止することができる。
【手続補正２９】
【補正対象書類名】明細書
【補正対象項目名】００４４
【補正方法】削除
【補正の内容】
【手続補正３０】
【補正対象書類名】明細書
【補正対象項目名】００４５
【補正方法】変更
【補正の内容】
【００４５】
請求項４記載の発明の情報記録方法によれば、ユーザの格別な操作を伴うことなく、記録する情報をファイル単位で複数の記録層に重複して記録されるので、ユーザに格別意識させることなく高い信頼性を有する情報記録を行なうことができる。また、情報記録媒体が物理的に破損した場合にも、この破損位置に記録されていた情報を再生することができるので、データ本体の一部が消失することを防止することができる。
【手続補正３１】
【補正対象書類名】明細書
【補正対象項目名】００４６
【補正方法】変更
【補正の内容】
【００４６】
請求項５記載の発明によれば、請求項４記載の情報記録方法において、ユーザが直接必要とするデータ本体が複数の記録層に重複して記録されるので、保存状態等情報記録媒体の環境が劣悪であっても、データ本体を損なうことなく、情報を長期に亘って保持することができる。また、情報記録媒体が物理的に破損した場合にも、この破損位置に記録されていたデータ本体を再生することができるので、データ本体の一部が消失することを防止することができる。
【手続補正３２】
【補正対象書類名】明細書
【補正対象項目名】００４７
【補正方法】削除
【補正の内容】
【手続補正３３】
【補正対象書類名】明細書
【補正対象項目名】００４８
【補正方法】変更
【補正の内容】
【００４８】
請求項６記載の発明によれば、請求項４記載の情報記録方法において、データ本体の管理情報もしくは管理プログラムが複数の記録層に重複して記録されるので、保存状態等情報記録媒体の環境が劣悪であっても、目的とするデータ本体の位置を長期に亘って確実に特定することができる。また、情報記録媒体が物理的に破損した場合にも、この破損位置に記録されていたデータ本体の管理情報もしくは管理プログラムを再生することができる。
【手続補正３４】
【補正対象書類名】明細書
【補正対象項目名】００４９
【補正方法】削除
【補正の内容】
【手続補正３５】
【補正対象書類名】明細書
【補正対象項目名】００５０
【補正方法】削除
【補正の内容】